(57)【要約】【課題】  アングル付きのサッシ枠の室内側の意匠性を向上するとともに、アングル付きのサッシ枠とアングル無しのサッシ枠とで枠材を共通化できるサッシ枠の提供。【解決手段】  枠体１とアングル材２ａ，２ｂ，２ｃとカバー材３ａ，３ｂ，３ｃとを備え、アングル材は、枠体１の室内側に室内外方向のネジ４ａ，４ｂ，４ｃで取付けてあり且つ躯体６ａ，６ｂ，６ｃの内周側に内周側からネジ５ａ，５ｂ，５ｃで取付けてあり、カバー材は、アングル材の内周側に取付けてあることを特徴とする。【選択図】      図１
2007113289.tif 000002
【特許請求の範囲】
【請求項１】
枠体とアングル材とカバー材とを備え、アングル材は、枠体の室内側に室内外方向のネジで取付けてあり且つ躯体の内周側に内周側からネジで取付けてあり、カバー材は、アングル材の内周側に取付けてあることを特徴とするサッシ枠。
【発明の詳細な説明】
【技術分野】
【０００１】
本発明は、サッシ枠に関するものである。
【背景技術】
【０００２】
サッシ枠には、アングル付きのサッシ枠とアングル無しのサッシ枠とがあり、躯体開口部への納まりの違いなどに応じて、いずれかを選択して使用する。アングル付きのサッシ枠は、サッシ枠を構成する下枠材等の枠材に、アングルが室内側に突出して一体に形成され、アングルを額縁や床材等の内周側に重ねてネジ止めしている。アングル付きのサッシ枠では、アングルを止めているネジの頭が室内側に露出するため、意匠性が損なわれる。また従来は、窓の種類ごとにアングル付きサッシ枠用の枠材とアングル無しサッシ枠用の枠材の、２種類の枠材をそれぞれ製作しなければならないため、コストが増大することとなっていた。
【発明の開示】
【発明が解決しようとする課題】
【０００３】
本発明は以上に述べた実情に鑑み、アングル付きのサッシ枠の室内側の意匠性を向上するとともに、アングル付きのサッシ枠とアングル無しのサッシ枠とで枠材を共通化できるサッシ枠の提供を目的とする。
【課題を解決するための手段】
【０００４】
上記の課題を達成するために本発明のサッシ枠は、枠体とアングル材とカバー材とを備え、アングル材は、枠体の室内側に室内外方向のネジで取付けてあり且つ躯体の内周側に内周側からネジで取付けてあり、カバー材は、アングル材の内周側に取付けてあることを特徴とする。なお、ここでいう躯体には、額縁や床材、天井の板、柱、まぐさなど、躯体開口部の内周部を形成するあらゆる部材が含まれる。
【発明の効果】
【０００５】
本発明のサッシ枠は、アングル材の内周側にカバー材が取付けてあるので、アングル材を躯体に取付けているネジの頭が露出せず、室内側の意匠性が向上する。また本発明のサッシ枠は、枠体の室内側にアングル材を室内外方向のネジで取付けてアングル付きにすることで、アングル無しのサッシ枠とアングル付きのサッシ枠とで枠材の共通化が可能となり、製作する枠材の種類が減ることでコストを削減できる。アングル材やカバー材は、枠体の種類が異なっていても使用することができる。
【発明を実施するための最良の形態】
【０００６】
以下、本発明の実施の形態を図面に基づいて説明する。図２は、本発明の一実施形態に係るサッシ枠の縦断面図、図３は同サッシ枠の横断面図、図１は同サッシ枠の下枠部分を拡大して示す縦断面図である。本サッシ枠は、鉄筋コンクリート造の躯体の開口部にアンカー（図示省略）で固定されるタイプのもので、窓の形態としては引き違い窓用のものである。
【０００７】
本サッシ枠は、図２と図３に示すように、下枠材７、上枠材８、左右の竪枠材９，９を四方枠組みして枠体１を形成し、枠体１を構成する各枠材７，８，９の室内側にアングル材２ａ，２ｂ，２ｃを室内側からネジ４ａ，４ｂ，４ｃで取付け、アングル材２ａ，２ｂ，２ｃを内周側から額縁６ａ，６ｂ，６ｃの内周側にネジ５ａ，５ｂ，５ｃで取付け、各アングル材２ａ，２ｂ，２ｃの内周側にカバー材３ａ，３ｂ，３ｃを取付けている。
下枠のアングル材２ａは、アルミニウム合金の押出形材で形成してあり、図１に示すように、枠側取付片１０と躯体側取付片１１とで断面Ｌ字形に形成してあり、両取付片１０，１１が連続するコーナー部にはカバー材取付用凹部１２が形成してある。躯体側取付片１１は、室外側端部がカバー材取付用凹部１２内に突出し、カバー材の係止部１３を形成している。枠側取付片１０は、下枠材７の室内側面２１に当接して室内外方向のネジ４ａで取付けてあり、躯体側取付片１１は、額縁６ａの内周側面２２に当接して上下方向のネジ５ａで取付けてある。アングル材２ａは、上面が下枠材７の室内側壁の上縁１４と同じ高さになるように取付けている。
下枠のカバー材３ａは、合成樹脂を押出成形して、図１に示すように板状に形成してあり、外周側面に鉤状の取付片１５が形成してあり、取付片１５をアングル材２ａのカバー材取付用凹部１２内に挿入し、且つ係止部１３に係止して取付けている。カバー材３ａは、アングル材２ａの内周側面２３を被うとともに、室外側端部が下枠材７の室内側壁の上縁１４に当接している。額縁６ａ内周側面の室外側部分には、アングル材２ａとカバー材３ａの肉厚分の凹部２４が形成してあり、額縁６ａの内周側面とカバー材３ａの内周側面が略同面となっている（上枠の額縁６ｂと竪枠の額縁６ｃについても同様。）。
【０００８】
上枠のアングル材２ｂは、図２に示すように、下枠のアングル材２ａと同じようにアルミニウム合金の押出形材で断面Ｌ字形に形成し、枠側取付片１０を上枠材８の室内側面２１に室内外方向のネジ４ｂで取付け、躯体側取付片１１を額縁６ｂの内周側面２２に当接して上下方向のネジ５ｂで取付けている。アングル材２ｂは、枠側取付片１０の上縁が上枠材８の室内側壁の上縁１６と同じ高さになるように取付けている。上枠のカバー材３ｂは、合成樹脂を押出成形したものであり、アングルカバー片１７と枠カバー片１８とで断面略Ｌ字形に形成し、室外側端部から鉤状の取付片１５が上方に突出して形成されている。カバー材３ｂは、取付片１５をアングル材２ｂのカバー材取付用凹部１２に差し込み、係止部１３に係止して取付けてあり、枠カバー片１８が室内側に突出した上枠材８の室内側面２１を被い、アングルカバー片１７がアングル材２ｂの内周側面２３を被っている。
【０００９】
竪枠のアングル材２ｃとカバー材３ｃは、上枠に取付けているアングル材２ｂやカバー材３ｂと同一のものを使用している。アングル材２ｃは、図３に示すように、枠側取付片１０を竪枠材９の室内側面２１に室内外方向のネジ４ｃで取付け、躯体側取付片１１を額縁６ｃの内周側面２２に内周側からのネジ５ｃで取付けている。カバー材３ｃは、外周側に突出して形成した取付片１５を、アングル材２ｃのカバー材取付用凹部１２に挿入し且つ係止部１３に係止して取付けており、枠カバー片１８が室内側に突出した竪枠材９の室内側面２１を被い、アングルカバー片１７がアングル材２ｃの内周側面２３を被っている。
【００１０】
上枠のカバー材３ｂの両端部と竪枠のカバー材３ｃの上端部とのコーナー部２箇所には、上コーナーカバー１９を取付けて各カバー材の端部を被ってあり、下枠のカバー材３ａの両端部と竪枠のカバー材３ｃの下端部とのコーナー部２箇所には、下コーナーカバー２０を取付けて各カバー材の端部を被ってある。
【００１１】
次に、本サッシ枠の組立て、施工手順の一例を説明する。まず、下枠材７と上枠材８と左右の竪枠材９，９を、通常のサッシ枠と同じように四方枠組みして枠体１を形成する。次に、図４（ａ）に示すように、各枠材７，８，９の室内側面２１にアングル材２ａ，２ｂ，２ｃをネジ４ａ，４ｂ，４ｃで取付ける。アングル材２ａ，２ｂ，２ｃを取付けると、図５に示すように、各アングル材２ａ，２ｂ，２ｃの躯体側取付片１１の端部が互いに当接して枠状に連続する。その後、通常のアングル付きのサッシ枠を施工するのと同様にして本サッシ枠を躯体開口部内に配置し、各枠材７，８，９をアンカーで躯体に固定する。次に、各アングル材２ａ，２ｂ，２ｃの躯体側取付片１１を額縁６ａ，６ｂ，６ｃの内周側面２２に内周側からネジ５ａ，５ｂ，５ｃで取付ける。次に、各アングル材２ａ，２ｂ，２ｃの躯体側取付片１１の内周側全周にカバー材３ａ，３ｂ，３ｃを取付ける。最後にカバー材同士のコーナー部に上コーナーカバー１９と下コーナーカバー２０を取付ける。
【００１２】
本サッシ枠は、以上に述べたように、各アングル材２ａ，２ｂ，２ｃの内周側にカバー材３ａ，３ｂ，３ｃが取付けてあるので、アングル材２ａ，２ｂ，２ｃを額縁６ａ，６ｂ，６ｃに取付けているネジ５ａ，５ｂ，５ｃの頭が露出せず、室内側の意匠性が良好となる。またカバー材３ａ，３ｂ，３ｃは、合成樹脂で形成してあり、アングル材２ａ，２ｂ，２ｃの内周側面２３、及び上枠材８と竪枠材９の室内側面を被っているので、サッシ枠の室内側に結露が生ずることを防止できる。カバー材３ａ，３ｂ，３ｃは、外周側に突出して形成した取付片１５をアングル材２ａ，２ｂ，２ｃのカバー材取付用凹部１２に差し込むだけで取付けでき、取付けが容易である。
また本サッシ枠は、アングル材２ａ，２ｂ，２ｃとカバー材３ａ，３ｂ，３ｃを取付けなければ、アングル無しのサッシ枠として、そのままアングル無しの納まりに対応可能である。すなわち、アングル付きのサッシ枠とアングル無しのサッシ枠とで、各枠材７，８，９を共通化することができる。これにより製作する枠材の種類を削減でき、コストの削減に繋がる。
さらに、アングル材２ａ，２ｂ，２ｃとカバー材３ａ，３ｂ，３ｃは、異なる種類のサッシ枠にも共通して使用することができ、アングル材とカバー材を共通化することで、コストを削減できる。
【００１３】
本発明は、以上に述べた実施形態に限定されない。サッシ枠は、実施形態のような各枠材をアンカーで躯体に固定するビル用のものに限らず、各枠材を柱等に釘やネジで直接取付ける木造住宅用のもの等についても同じように実施できる。窓の形態は、引き違い窓に限らず、片引き窓や上げ下げ窓、回転窓、嵌め殺し窓など、あらゆる種類のサッシ枠に対応可能である。アングル材とカバー材は、下枠にのみ取付けたものであってもよい。
【図面の簡単な説明】
【００１４】
【図１】本発明のサッシ枠の下枠部分を拡大した縦断面図である。
【図２】本発明のサッシ枠の一実施形態を示す縦断面図である。
【図３】本発明のサッシ枠の一実施形態を示す横断面図である。
【図４】（ａ）は、枠体にアングル材を取付ける前の状態の側面図、（ｂ）は、枠体にアングル材を取付けた状態の側面図である。
【図５】枠体にアングル材を取付けた状態における室内側の正面図である。
【符号の説明】
【００１５】
１  枠体
２ａ，２ｂ，２ｃ  アングル材  
３ａ，３ｂ，３ｃ  カバー材
４ａ，４ｂ，４ｃ  ネジ
５ａ，５ｂ，５ｃ  ネジ
６ａ，６ｂ，６ｃ  額縁（躯体）
７  下枠材
８  上枠材
９  竪枠材
【図１】
2007113289.tif 000003
【図２】
2007113289.tif 000004
【図３】
2007113289.tif 000005
【図４】
2007113289.tif 000006
【図５】
2007113289.tif 000007